(57)【要約】【課題】  決められたスケジュール以外の特別な行事、スケジュールの変更等があった場合でも、持参すべき持ち物を漏れなくリストアップした携行品リストを作成する。【解決手段】  携行者が物品を持参する目的地の各曜日の定期的なスケジュール表（時間割）２を作成し、さらに、このスケジュール表に記載されていない特別な行事予定を示す特別予定表５並びにスケジュールが変更となった場合にこの変更内容を示す予定変更表６を作成し、サーバー１０に格納する。  サーバー１０では、これらスケジュール表（時間割）３、特別予定表５並びに予定変更表６の内容に基づいて、携行者が目的地に持参すべき物品をリストアップとした携行品リスト４を作成し、各携行者宛に送信する。【選択図】  図２
2005078331.tif 000002
【特許請求の範囲】
【請求項１】
携行者が持参すべき物品リストを作成する携行品管理システムにおいて、
携行者が物品を持参する目的地での定期的なスケジュールを示すスケジュール表と、定期的なスケジュール以外の特別な行事予定を示す特別予定表とを記憶する記憶手段と、
この記憶手段に記憶されたスケジュール表及び特別予定表とに基づいて、携行者が目的地に持参すべき物品をリストアップした携行品リストを作成する携行品リスト作成手段と、
を具備することを特徴とする携行品管理システム。
【請求項２】
携行者が持参すべき物品リストを作成する携行品管理システムにおいて、
携行者が物品を持参する目的地での定期的なスケジュールを示すスケジュール表と、このスケジュールに変更があった場合にその変更内容を示す予定変更表とを記憶する記憶手段と、
前記記憶手段に記憶されたスケジュール表及び予定変更表とに基づいて、携行者が目的地に持参すべき物品をリストアップした携行品リストを作成する携行品リスト作成手段と、
を具備することを特徴とする携行品管理システム。
【請求項３】
前記携行品管理システムは、更に、携行者が備えている持ち物を示す持ち物リストを作成する持ち物リスト作成手段を備え、
前記携行品リスト作成手段は、前記スケジュール表、前記特別予定表とともに、前記持ち物リスト作成手段にて作成された持ち物リストに記載されている情報を用いて携行品リストを作成することを特徴とする請求項１記載の携行品管理システム。
【請求項４】
前記携行品管理システムは、更に、携行者が備えている持ち物を示す持ち物リストを作成する持ち物リスト作成手段を備え、
前記携行品リスト作成手段は、前記スケジュール表、前記予定変更予定表とともに、前記持ち物リスト作成手段にて作成された持ち物リストに記載されている情報を用いて携行品リストを作成することを特徴とする請求項２記載の携行品管理システム。
【請求項５】
前記携行品管理システムは、更に、前記携行品リスト作成手段で作成された携行品リストを携行者宛に送信する送信手段を具備していることを特徴とする請求項１乃至２記載の携行品管理システム。
【請求項６】
前記持ち物リスト作成手段は、リスト作成に必要となる持ち物毎に固有に付与されているＩＤ情報を付加して持ち物リストを作成することを特徴とする請求項１乃至２記載の携行品管理システム。
【請求項７】
前記携行品リスト作成手段は、携行者が目的地に置いたままの状態としている物品を示すリストを作成し、このリストの情報に基づいて、目的地に置いている物品を識別可能にした携行品リストを作成することを特徴とする請求項１乃至２記載の携行品管理システム。
【請求項８】
携行者が持参すべき物品リストを作成する携行品管理方法において、
携行者が物品を持参する目的地での定期的なスケジュール表を作成し、
このスケジュール表に記載された定期的なスケジュール以外の特別な行事予定を示す特別予定表を作成し、
前記スケジュール表及び前記特別予定表に基づいて、携行者が目的地に持参すべき物品をリストアップとした携行品リストを作成することを特徴とする携行品管理方法。
【請求項９】
携行者が持参すべき物品リストを作成する携行品管理方法において、
携行者が物品を持参する目的地の各曜日の定期的なスケジュール表を作成し、
このスケジュール表で記載された定期的なスケジュールの予定が変更となった場合に、この変更内容を示す予定変更表を作成し、
前記スケジュール表及び前記予定変更表とに基づいて、携行者が目的地に持参すべき物品をリストアップとした携行品リストを作成することを特徴とする携行品管理方法。
【請求項１０】
携行品リストを作成する際に、携行者が目的地に置いたままの状態としている物品を示すリストを作成し、このリストの情報に基づいて、目的地に置いている物
品を識別可能にした携行品リストを作成することを特徴とする請求項８乃至９記載の携行品管理方法。
【請求項１１】
更に、携行者が備えている持ち物を示す持ち物リストを作成し、
前記スケジュール表、前記特別予定表とともに、前記持ち物リストに記載されている情報を用いて携行品リストを作成することを特徴とする請求項８記載の携行品管理方法。
【請求項１２】
更に、携行者が備えている持ち物を示す持ち物リストを作成し、
前記スケジュール表、前記予定変更予定表とともに、前記持ち物リストに記載されている情報を用いて携行品リストを作成することを特徴とする請求項９記載の携行品管理方法。
【発明の詳細な説明】
【技術分野】
【０００１】
本発明は、携行品を管理するシステム及び方法に関し、特に、忘れ物を防止するために個人の携行品リストの提供サービスを行う携行品管理システム及び方法に関する。
【背景技術】
【０００２】
現在、個人の携帯する物品等を管理し、個人の行き先等に応じて必要物品リスト等を作成する方法が考えられている。
【０００３】
例えば、特開２００２−１６３３０１号公報（特許文献１）には、物品の携帯者の行動予定、又は、状況に対応して装備すべき物品のリストと装備すべきでない物品のリストを作成し、次いで、物品の携帯者が携帯する物品を探査手段（ＲＦＩＤ（Radio Frequency Identification）リーダー）を用いて検出し、この検出した物品と物品リストの内容とを比較照合する。この比較照合の結果に基づいて、装備すべき物品リストにある物品が携帯者の所持している物品として検出されていない場合には、携帯者に警告等を発するようにする方法が提案されている。
【特許文献１】特開２００２−１６３３０１号公報（第４−５頁、図１）
【発明の開示】
【発明が解決しようとする課題】
【０００４】
但し、個人の必要物品リストを作成する場合、必要となる物品を完全に漏れなくリストアップするには、必要物品リストを作成する当日のスケジュールに基づいて、きめ細かい管理を行う必要がある。
【０００５】
例えば、学校等を例に考えると、当日のスケジュールは時間割表に記載されているスケジュールである程度の管理は可能となり、これに基づいて、持参する必要がある物品リストを作成することができるが、時間割表には記載されていない特別な行事（発表会、実習、運動会等）が開催される場合には、この特別な行事に対応して必要となる物品までをリストアップする必要がある。さらに、時間割の予定が変更となった場合でも、その変更内容に応じて必要物品リストの作成が必要となる。
【０００６】
しかしながら、上記特許文献１に開示されている方法では、このような特別行事、予定変更等の内容に応じた物品リストの作成は考慮されていないので、必要物品としてリストアップされるものに漏れが出てくる可能性がある。そのため、この特許文献１に開示されている方法のみでは、完全に必要とする持ち物を確認するには十分ではなく、忘れ物を完全に防止することはできないという問題がある。
【０００７】
そこで、本発明では、特別な行事、またはスケジュールの変更等があった場合でも、その行事、変更に応じて、持参する必要がある物品のリストを作成することを可能とし、持参すべき持ち物を漏れなくリストアップすることで、忘れ物を防止するのに有効となる携行品管理システム並びに方法を提供することを目的とする。
【課題を解決するための手段】
【０００８】
上記目的を達成するために、本発明の携行品管理システムでは、携行者が物品を持参する目的地での定期的なスケジュールを示すスケジュール表と、定期的なスケジュール以外の特別な行事予定を示す特別予定表とを記憶する記憶手段と、この記憶手段に記憶されたスケジュール表及び特別予定表とに基づいて、携行者が目的地に持参すべき物品をリスト
アップした携行品リストを作成する携行品リスト作成手段とを具備したことを特徴とするものである。
【０００９】
さらに、本発明の携行品管理システムでは、携行者が物品を持参する目的地での定期的なスケジュールを示すスケジュール表と、このスケジュールに変更があった場合にその変更内容を示す予定変更表とを記憶する記憶手段と、この記憶手段に記憶されたスケジュール表及び予定変更表とに基づいて、携行者が目的地に持参すべき物品をリストアップした携行品リストを作成する携行品リスト作成手段とを具備したことを特徴とするものである。
【００１０】
これにより、特別な行事、またはスケジュールの変更等があった場合でも、その行事、変更に応じて、持参する必要がある物品のリストを作成することを可能とし、持参すべき持ち物を漏れなくリストアップすることができる。
【発明の効果】
【００１１】
本発明の携行品管理システム並びに方法では、特別な行事、またはスケジュールの変更等があった場合でも、その特別な行事、スケジュール変更に応じて、持参すべき持ち物を漏れなくリストアップするリストを作成するので、忘れ物を確実に防止するのに役立てることができる。
【発明を実施するための最良の形態】
【００１２】
以下、図面を参照して本発明の実施の形態を説明する。
【００１３】
図１は、本発明の実施の形態に係わる携行品管理システムの全体構成を概念的に示す図である。
【００１４】
本発明の携行品管理システムは、学校１に出かけるときに、携行者が必要な持ち物が全て準備できているか否かを確認するために用いられるシステムである。
【００１５】
本システムでは、学校側１にサーバー１０が設置され、このサーバー１０には、電子化された時間割表２と対象とする携行者（生徒）の持ち物リスト３が格納されている。サーバー１０では、この格納された時間割表２と持ち物リスト３の情報に基づいて携行者（生徒）毎の携行品リスト４を作成する。
【００１６】
また、携行者の家庭１００内においては、ホームサーバー１０１が設置され、無線ＬＡＮ機器１０２並びにテレビなどの表示端末１０７が接続されている。
【００１７】
さらに、携行者が携行する必要がある物品には、全てＲＦＩＤタグ１０４が埋め込まれている。例えば、図１に示す例では、ランドセル１０５の中に入れて持っていく学用品（教科書、ノート、鉛筆等）１０６にもＲＦＩＤタグ１０４が埋め込まれている。
【００１８】
本システムでは、サーバー１０で作成された携行品リスト４が学校１から各家庭１００にインターネット経由で送信される。家庭内１００のホームサーバー１０１では、この携行品リスト４を受信することで、例えば、携行者が学校１へ行く前に、携行品リスト４の情報に基づいて、学校へ持っていく必要のある持ち物の確認を行うことができるようになっている。
【００１９】
すなわち、家庭１００内で携行者が持ち物の確認を行う際には、携帯型ＲＦＩＤリーダー１０３を用いて、携行者のランドセル１０５内部に入れられているＲＦＩＤタグ付き学用品１０６の種類を検出し、このリーダー１０３で検出されたＲＦＩＤタグ情報のリスト
を無線ＬＡＮ１０２経由でホームサーバー１０１に送信する。
【００２０】
家庭側サーバー１０１では、学校１のサーバー１０から送信された携行品リスト４の内容とランドセル１０５に入っている学用品１０６の情報であるＲＦＩＤタグ情報のリストの内容とを比較照合し、その比較照合結果の情報をテレビなどの表示端末１０７に表示させるようにする。携行者は表示端末１０７に表示される情報に基づき、当日持参する必要があるものでランドセル１０５に入っていない学用品の種類等を確認することが可能となり、携行者が忘れ物をすることを防止できる。
【００２１】
ここで、図２乃至図４を用いて、サーバー１０にて携行品リストを作成する方法を具体的に説明する。
【００２２】
図２に示す通り、サーバー１０には、電子化された時間割表２と対象とする携行者（生徒）の持ち物リスト３が格納されている。この時間割表２と携行者の持ち物リストから各携行者（生徒）毎の携行品リスト４が作成される。
【００２３】
ここで時間割表２は、各日／曜日毎の行事スケジュールを記載したスケジュール表に該当するもので、学校１で作成される場合には、各曜日、時限毎の教科内容が示され、それを各クラス毎に作成して、このサーバー１０に格納しておく。
【００２４】
この時間割表２を用いて、例えば、月曜日の携行品リスト４を作成する場合には、サーバー１０に格納されている時間割表２から月曜日の時間割である「国語」、「算数」、「理科」、「社会」の時間割が読取られる。この情報と携行者（生徒）自身の持ち物リスト３の情報から、月曜日当日に持参する必要がある各携行者（生徒）毎の携行品リスト４を作成する。例えば、携行者Ａの持ち物リスト３として、「国語」、「算数」、「理科」、「社会」、「図工」、「音楽」の各教科の「教科書」と「ノート」、「筆記具」、「体操着」が登録されている場合には、時間割表２からの情報とこの持ち物リスト３の情報から、携行品リスト４として、「国語」、「算数」、「理科」、「社会」の各教科の「教科書」と「ノート」、「筆記具」の情報が登録される。
【００２５】
また、本発明の携行品管理システムにおいては、時間割表２の他に、週単位の時間割表に記載されている以外の特別行事（イベント）の予定（日付）、特別行事の内容（発表会、実習、運動会等）、特別行事に参加するのに必要な持ち物の内容を記憶している特別予定表リスト５、更に、時間割表２の変更スケジュール（日付、時間帯）、変更事由、変更された内容に応じて必要となる持ち物の内容記憶している予定変更表リスト６がサーバー１０に記憶されている。
【００２６】
これら特別予定表リスト５及び予定変更表リスト６の情報は、学校１側で必要な情報を入力し、サーバー１０に記憶しておく。この特別予定表リスト５並びに予定変更表リスト６に基づき、時間割表２に登録されている以外の様々な予定、事由に基づき追加または変更される持ち物の情報の内容を携行品リスト４に追加登録が可能となる。
【００２７】
例えば、この特別予定表リスト５の情報に基づき、２００２年５月２６日であれば、家庭科実習のイベントがあり、この家庭科実習に必要となる持ち物として「エプロン」、「三角巾」が読み出され、当日の携行品リスト４の中に、「エプロン」並びに「三角巾」が追加登録される。
【００２８】
また、予定変更表リスト６の情報に基づき、例えば、２００２年６月３日であれば、３時間目の体育の授業が「雨天により変更」と変更事由に登録され、これに伴い、必要となる持ち物が「運動靴」から「体育館シューズ」に変更されている。同様に、４時間目の授
業の内容も「国語」から「算数」に変更となっていることが登録されており、これに基づいて、必要とする持ち物も「国語」の教科書から「算数」の「教科書」に変更登録されている。これらの情報に基づき、携行品リスト４を作成する際に、「体育館シューズ」と「算数」の「教科書」の持ち物情報が追加登録されることとなる。
【００２９】
さらに、本発明の携行品管理システムにおいては、携帯型ＲＦＩＤリーダー８を用いて、携行者（生徒）が学校１に置いてある持ち物７を把握することが可能である。例えば、月曜日に「国語」、「算数」、「理科」、「社会」の各教科の「教科書」と「ノート」、「筆記具」の携行品リスト４が時間割表２と持ち物リスト３から作成された場合であっても、携行者（生徒）の机の中に、「国語」、「算数」、「理科」、「社会」の各教科の「教科書」が置いてある場合には、これらの「教科書」は携行品リスト４から省く必要がある。
【００３０】
そこで、本発明の携行品管理システムにおいては、携帯型ＲＦＩＤリーダー８を用いて、携行者（生徒）が学校１に置いてある持ち物７を把握し、その情報を用いて携行品リスト４としてリストアップされる持ち物情報の内容から学校１に置いてある持ち物情報の内容を省くことで、携行者（生徒）が当日、持参する必要がある持ち物情報のみを確実にリストアップすることを可能とする。
【００３１】
図３並びに図４は、携行品リスト４を作成する学校１に設置されるサーバー１０に格納されるファイル（図３）並びに当該ファイルに格納されている情報の内容（図４）を示している。
【００３２】
サーバー１０には、曜日ＩＤ表ファイル１１、科目ＩＤ表ファイル１２、生徒ＩＤ表ファイル１３、持ち物ＩＤ表ファイル１４、時間割（曜日・時限・科目）対応表ファイル１５、科目・持ち物対応表（通常の持ち物）ファイル１６、特別予定・持ち物対応表ファイル１７および持ち物変更表ファイル１８が格納されている。
【００３３】
これらのファイルは予め学校１側にて作成しておくもので、曜日ＩＤファイル１１、科目ＩＤ表ファイル１２、生徒ＩＤ表ファイル１３及び持ち物ＩＤ表ファイル１４は、各曜日、各科目、各携行者（生徒）、各持ち物の各々のＩＤ情報を記憶している。
【００３４】
具体的には、図４に示す通り、曜日ＩＤ表ファイル１１には、曜日のＩＤと曜日を表す文字列との対応表である曜日ＩＤファイル３１が格納され、各曜日のＩＤを、わかりやすい文字列に対応させている。
【００３５】
科目ＩＤ表ファィル１２には、科目ＩＤと科目名称の対応表である科目ＩＤ表３２、また、生徒ＩＤ表ファイル１３には、各携行者（生徒）のＩＤと携行者（生徒）氏名とを対応させて記憶している生徒ＩＤ表３３が各々格納されている。なお、生徒ＩＤ表３３は、携行者（生徒）氏名の他、例えば携行者の住所や電話番号などの情報を合せて格納しておいてもよい。
【００３６】
持ち物ＩＤ表ファイル１４には、各携行者が忘れ物防止の対象としたい物品の情報を示す持ち物ＩＤ表３４が格納されており、この持ち物ＩＤ表３４が図１、図２に示した各携行者の持ち物リスト３に相当している。この持ち物ＩＤ表３４を作成する際には、物品毎に固有の持ち物ＩＤを持たせており、この持ち物ＩＤには、持ち物の名称、所有者ＩＤ、ＲＦＩＤのタグのＩＤ及びこの持ち物を必要とする科目ＩＤを関連付けて格納しておく。
【００３７】
また、時間割対応表ファイル１５には、曜日ＩＤ、時限、科目ＩＤの情報から構成される曜日・時限・科目対応表３５が格納され、この対応表３５から各学年・各クラスの時間
割表２を作成する。また、科目・持ち物対応表ファイル１６には、各科目で必要となる持ち物を示す科目・持ち物対応表３６を生徒全員の分保管しているものであり、科目ＩＤと持ち物ＩＤリストとを対応させている。
【００３８】
さらに、本発明の携行品管理システムにおいては、特別行事（音楽発表会、家庭科実習、遠足等）に参加するのに必要な持ち物、または時間割表の予定が変更となっている場合に変更内容に基づいて必要となる持ち物を携行品リスト４の持ち物情報として追加、変更することを可能としている。
【００３９】
そこで、この携行品リスト４を作成するために、特別予定・持ち物対応表ファイル１７には、特別行事が開催されるスケジュール（日付）、この特別行事の内容、この特別行事に参加するのに必要な持ち物の内容（持ち物ＩＤ）を記憶している特別予定・持ち物対応表３７が格納されている。この特別予定・持ち物対応表３７は、学校１側の管理者（教師）が、上記の情報（特別行事が開催されるスケジュール（日程）、特別行事の内容、この特別行事に参加するのに必要となる持ち物の内容）をサーバー１０の特別予定・持ち物対応表ファイル１７に予め入力しておくことで作成される。
【００４０】
さらに、持ち物変更表ファイル１８には、時間割表２の変更スケジュール（日付、時間帯）、変更前の持ち物と変更後必要となる持ち物の内容を持ち物ＩＤの情報として記憶している持ち物変更表３８が格納されている。この持ち物変更表３８も、学校１側の管理者（教師）が、上記の情報（変更スケジュール、変更持ち物の内容等）をサーバー１０の特別予定・持ち物対応表ファイル１７に予め入力しておくことで作成される。
【００４１】
これらのファイル情報が格納されているサーバー１０では、曜日ＩＤ表３１、科目ＩＤ表３２、生徒ＩＤ表３３、持ち物ＩＤ表３４、曜日・時限・科目対応表３５、科目・持ち物対応表３６、特別予定・持ち物対応表３７及び持ち物変更表３８に格納されている各データを利用して、携行日（例えば翌日）の科目ＩＤリスト４０及び携行日（翌日）に必要となる持ち物ＩＤリスト４１を生成する。
【００４２】
この科目ＩＤリスト４０は、携行日（翌日）の時間割表に相当するもので、日付、曜日ＩＤ、時間、科目ＩＤの情報により作成され、科目ＩＤリストファィル２０に格納される。さらに、持ち物ＩＤリスト４１は、科目ＩＤリスト４０に対応して、翌日の時間割に応じて必要となる持ち物をリストアップしているものであり、持ち物ＩＤリストファイル２１に格納される。この持ち物ＩＤリスト４１に基づいて、携行日（翌日）分の各携行者（生徒）毎に持参する必要がある携行品リスト４２が作成される。
【００４３】
また、このサーバー１０には、各携行者（生徒）が学校１に置いてある持ち物をリストアップした持ち物表３９を格納する置きっ放し持ち物表ファイル１９も格納されており、この持ち物表ファイル１９は、各携行者（生徒）が、学校１側に設置しているＲＦＩＤリーダー７によって読み取った情報に基づいて生成しておくものである。持ち物表ファイル１９は、各携行者（生徒）が置きっ放しにしている持ち物の内容を特定することが目的であるので、単に持ち物ＩＤのリストとなっている。
【００４４】
本発明の携行品管理システムにおいては、この置きっ放し持ち物表３９に記憶されている情報を参考にし、携行品リスト４２には、各携行者（生徒）が机等に置きっ放しにされている持ち物はフラグを付与することで、学校１に置いてある持ち物を容易に識別することができるようになっている。
【００４５】
次に、図５乃至図７を用いて、上記のような構成を有する携行品管理システムにおいて、各携行者（生徒）の家庭に送信される携行者（生徒）毎の携行品リストの作成方法につ
いて詳細に説明する。
【００４６】
本発明の携行品管理システムにおいては、基本的には、曜日・時限・科目対応表ファイル１５に格納されている曜日・時限・科目対応表（時間割）３５に基づいて携行品リスト（該当日の分）４２を作成するものである。
【００４７】
そこで、まず、学校１側の管理者（教師）は曜日ＩＤ表３１、科目ＩＤ表３２を作成し（ｓｔｅｐ１１）、次に、管理単位毎（例えば、教師が担任するクラス）の携行者（生徒）のリストである生徒ＩＤ表３３を生徒ＩＤ、生徒氏名を登録することで作成する（ｓｔｅｐ１２）。さらに、管理者は、忘れ物の防止の対象としたい各携行者（生徒）の持ち物のリストを持ち物ＩＤ表３４に作成する（ｓｔｅｐ１３）。この持ち物ＩＤ表３４には、持ち物ＩＤ、持ち物名称の他、所有者ＩＤ、ＲＦＩＤタグＩＤ、科目ＩＤの情報を登録する。これらのＩＤ表（曜日ＩＤ表３１、科目ＩＤ表３２、生徒ＩＤ表３３及び持ち物ＩＤ表３４）は、各々、曜日ＩＤ表ファイル１１、科目ＩＤ表ファイル１２、生徒ＩＤ表ファイル１３及び持ち物ＩＤ表ファイル１４に格納する。
【００４８】
次に、管理者は曜日ＩＤ表３１と科目ＩＤ表３２とを用いて、曜日・時限・科目対応表３５（時間割表２に相当）を作成する（ｓｔｅｐ１４）。管理者は、この曜日・時限・科目対応表３５と持ち物ＩＤ表３４とを利用して、この曜日・時限・科目対応表３５に対応し、全科目ＩＤに対応する全携行者の持ち物ＩＤをリストにした科目・持ち物対応表３６を作成する（ｓｔｅｐ１５）。
【００４９】
これら曜日・時限・科目対応表３５、科目・持ち物対応表３６の作成が完了すると、学校側サーバー１０では、内部のカレンダー（サーバー内部の計時機能）を利用して、携行品リスト４２を作成する携行日（例えば翌日）の日付、曜日の情報を取得し（ｓｔｅｐ１６）、この日付、曜日の情報と、曜日・時限・科目対応表３５のデータを利用して、携行日に行われる授業の科目を抽出し、携行日の科目ＩＤリスト（該当日の分）４０を作成する（ｓｔｅｐ１７）。
【００５０】
次に、サーバー１０は、科目・持ち物対応表３６と携行日（翌日）の科目ＩＤリスト４０を利用して、携行日（翌日）に必要となる科目ＩＤに対応した持ち物ＩＤを抽出し、携行日（翌日）に必要となる持ち物ＩＤリスト４１を作成する（ｓｔｅｐ１８）。
【００５１】
ここで、曜日・時限・科目対応表ファイル１５に格納されている曜日・時限・科目対応表３５に基づいて、携行者の携行品リスト４２を作成するのみでは、学校１で行われる発表会、実習、運動会などの特別行事に対応した持ち物リスト並びに時間割の予定が変更となった場合の持ち物リストの作成はなされていないので、完全な携行品のリストとはならない。
【００５２】
そこで、本発明の携行品管理システムでは、まず、携行日の日付・曜日の情報から、特別行事の予定があるか否かを特別予定・持ち物対応表ファイル１７に格納されている特別・予定持ち物対応表３７にリストアップされている情報から確認し（ｓｔｅｐ１９）、さらに、曜日・時限・科目対応表３５に定められている予定が変更となっているか否かを持ち物変更表ファイル１８に格納されている持ち物変更表３８にリストアップされている情報から確認する（ｓｔｅｐ２０）。
【００５３】
この確認の結果、携行品リスト作成当日に特別行事の予定がなく、さらにスケジュールの変更もない場合には、サーバー１０は、生徒ＩＤ表３３と持ち物ＩＤ表３４および持ち物ＩＤリスト４１にリストアップされている情報を用いて、携行日（翌日）に必要となる持ち物ＩＤリスト４１の中の持ち物ＩＤから持ち物の名称、所有者ＩＤおよびＲＦＩＤタ
グＩＤの情報を抽出し、携行日（翌日）に必要となる携行品リスト４２を作成する（ｓｔｅｐ２１）。
【００５４】
本発明の携行品管理システムでは、上述した通り、時間割に記載されていない特別行事並びに時間割の予定が変更となった場合の変更予定に基づいて、持参が必要となる持ち物リストを作成する機能を備えている。
【００５５】
そこで、特別行事の予定があるか否かを確認の結果（ｓｔｅｐ１９）、携行品リスト作成当日に特別行事の予定がある場合には、サーバー１０では、携行日（例えば翌日）の日付に特別・持ち物対応表３７に入力されている携行日の日付の特別行事の内容、特別行事に参加するのに必要な持ち物の内容（持ち物ＩＤ）の情報に基づいて、特別行事に参加するのに必要な持ち物の情報を持ち物ＩＤリスト４１に追加し（ｓｔｅｐ３１）、この追加された持ち物ＩＤリスト４１と、更に生徒ＩＤ表、持ち物ＩＤ表３４にリストアップされている情報に基づいて携行品リスト４２が作成される（ｓｔｅｐ３２）。
【００５６】
また、本発明では、時間割などの予定が変更となった場合でも、その変更に対応した携行品リストを作成し、各家庭の携行者（生徒）に通知することも可能である。
【００５７】
この具体的な処理方法としては、携行品リスト作成当日の予定に変更があるか否かを確認の結果（ｓｔｅｐ２０）、予定の変更がある場合には、サーバー１０では、携行日（例えば翌日）の日付に予定変更表３８に入力されている変更スケジュール（日付、時間帯）、変更前の持ち物と変更後必要となる持ち物の内容を持ち物ＩＤの情報に基づいて、変更されたスケジュールに応じて、変更する持ち物の内容（持参する持ち物を何に変更するか）が持ち物ＩＤリスト４１に追加される（ｓｔｅｐ４１）。この持ち物ＩＤリスト４１の作成は、具体的には、サーバー１０にて、携行日に時間割等の変更スケジュールに応じて、携行日に必要となる持ち物ＩＤリスト４１の「変更前持ち物ＩＤ」に該当する持ち物を「変更後持ち物ＩＤ」に置き換える処理を行うことで実行される。さらに、サーバー１０では、この追加された持ち物ＩＤリスト４１と、更に生徒ＩＤ表、持ち物ＩＤ表３４にリストアップされている情報に基づいて携行品リスト４２が作成される（ｓｔｅｐ４２）。
【００５８】
このように、当日の時間割に基づいて持参すべき必要のある持ち物情報がリストアップされた携行品リスト４２には、特別行事がある場合には、この特別行事に参加するのに必要となる持ち物情報が追加され、また、予定変更があった場合に変更された内容に基づいて必要となる持ち物情報も変更・追加される。
【００５９】
このように作成された携行品リスト４２は、サーバー１０から各携行者（生徒）の家庭１００に送信される（ｓｔｅｐ２２）。サーバー１０からの携行品リスト４２の送信は、設定された所定時刻に送信されるものであるが、各家庭１００の携行者から要求があった場合には、その要求を受けた時点で、サーバー１０は、、要求のあった携行者の家庭１００に当該携行者の携行品リスト４２を送信する。
【００６０】
この携行品リスト４２の送信を受けた携行者（生徒）は、このリストの内容を家庭１００内の表示端末１０７に表示させ、更には、自分のランドセル１０５に入っている持ち物をＲＦＩＤリーダー１０３で読取り、この情報も合せて表示端末１０７に表示させることで、学校に持参するべき持ち物が全てランドセルの中に入っているかを容易に確認することができる。そのため、携行者（生徒）は忘れ物をすることなく、学校１に持参すべき持ち物を確実に持っていくことが可能となる。
【００６１】
以上説明した通り、本発明では、学校側１のサーバー１０では、各携行者（生徒）毎に、携行日の時間割（授業予定）に基づいて、各携行者（生徒）が学校１に持参する必要が
ある持ち物をリストアップした携行品リスト４２が作成されることとなる。また、本発明においては、学校側１のサーバー１０では、各携行者（生徒）毎に、特別行事が開催される場合には、この特別行事に参加するのに必要となる持ち物の情報が追加された携行品リスト４２を作成することができ、携行者にとって、特別行事が開催される場合でも、学校１に持っていく必要のある持ち物の確認を確実に行うことができる。
【００６２】
また、本発明では、時間割等の変更があった場合、この変更内容に応じて、必要となる持ち物の変更情報が追加された携行品リスト４２を作成することができるため、携行者は、時間割等のスケジュールが変更となっている場合でも、学校１に持参する必要のある持ち物を確実に確認することができ、忘れ物の防止に役立つものとなる。
【００６３】
さらに、本発明においては、携行者（生徒）が持参すべき持ち物の一部を学校１の自分の机又はロッカー等に置きっ放しにしている場合に、この置きっ放しにしている持ち物を携行品リスト４２の中で識別可能とすることで、携行者が忘れ物がないか否かを確認する際に、準備しておく必要のある持ち物と学校に置いてあるので家庭では準備する必要のない持ち物と容易に確認することができる。
【００６４】
次に、その処理方法について、図８に示すフローチャートを用いて具体的に説明する。
【００６５】
まず、学校１の各教室の机、ロッカー等に置かれている持ち物を検出する必要があるが、これは、ＲＦＩＤリーダー８を用いて、机、ロッカー等に置かれている教科書、ノート等の情報を取得（各教科書、ノート等に付与されているＲＦＩＤタグのＩＤ情報を入手）し（ｓｔｅｐ５１）、各教室の机、ロッカーの中に携行者（生徒）が置きっ放しにしているものをリストアップした置きっ放し持ち物表３９を作成する（ｓｔｅｐ５２）。この持ち物表３９を作成する場合、ＲＦＩＤリーダー８にて読取ったＲＦＩＤタグのＩＤ情報をそのままリストアップしても良いが、持ち物ＩＤ表３４を利用して持ち物ＩＤに変換した上でリストアップするようにしてもよい。
【００６６】
サーバー１０は、置きっ放し持ち物表３９と携行品リスト４２との内容を比較し、置きっ放し持ち物表３９にリストアップされている持ち物に関しては、携行品リスト（該当日の分）４２中に存在する”置きっ放しフラグ”を１にして、この携行品リスト４２で置きっ放しにしているものを携行者に識別可能な状態とする（ｓｔｅｐ５３）。
【００６７】
この方法により、本発明の携行品管理システムでは、学校側１のサーバー１０では、携行者（生徒）が持参すべき持ち物の一部を学校１の自分の机又はロッカー等に置きっ放しにしている場合に、携行者（生徒）は、この持ち物を識別可能となるので、忘れ物がないか否かを確認する際に、準備の必要のある持ち物を容易に確認することができる。
【００６８】
以上説明した通り、本発明の実施の形態では、学校１のスケジュールとなる時間割表２、特別予定表５、予定変更表６、更には、携行者が学校１に置いている置きっ放し持ち物表３９を作成しておくことで、時間割に応じて各携行者（生徒）が持参する必要がある持ち物の携行品リストを自動的に作成することができる。
【００６９】
また、本発明では、時間割には記載されていない特別イベント（発表会、実習等）を示す特別予定表５、時間割の予定変更を示す予定変更表６を作成し、学校側のサーバー１０に格納しておくことで、時間割に記載されていない特別行事並びに時間割の予定が変更となった場合の変更予定に基づいて、持参が必要となる携行品リストを作成することができる。そのため、本システムを利用する携行者（生徒）が利用する際に、持参すべき持ち物を漏れなくリストアップした携行品リストが作成されるので、携行者（生徒）が忘れ物をするのを防止するのに非常に役立つシステムを提供することができる。
【００７０】
更に、本発明では、携行者（生徒）が持参すべき持ち物の一部を学校１の自分の机又はロッカー等に置きっ放しにしている持ち物を携行品リストの中で識別可能とすることにより、携行者が家庭１から持参する必要のある持ち物（家庭で事前に準備しておく必要のある持ち物）と学校に置いてあるので家庭では準備する必要のない持ち物と容易に確認することを可能とする。
【００７１】
尚、本発明は上記実施の形態に限定されるものではなく、その要旨の範囲で種々変形して実施することが可能である。
【００７２】
例えば、本発明の一実施形態では、学校１に設置されたサーバー１０を用いて、携行者（生徒）の携行品リストを作成する場合を例に説明したが、このシステムでは、学校１に限らず、学習塾等、学校と同様に時間割表などのスケジュールを組んで、授業を行っている場所でも同様の効果を得ることができる。
【００７３】
更には、企業などにおいても、会議等のスケジュール、持参すべき資料の内容、特別イベントの情報、予定変更内容、会社に置きっ放しにしている資料等の情報を予め格納しておけば、このスケジュール等に応じて携行品リストの作成が可能となる。
【図面の簡単な説明】
【００７４】
【図１】本発明の一実施の形態による携行品管理システムの全体構成の概念図である。
【図２】同実施形態にかかわる携行品管理システムの携行品リストの作成方法を概念的に示す図である。
【図３】同実施形態にかかわる携行品管理システムのサーバー内のファイル構成を示す図である。
【図４】同実施形態にかかわる携行品管理システムのサーバー内のファイルに格納されたデータの内部構成を示す図である。
【図５】同実施形態にかかわる携行品管理システムでの携行品リストの作成方法を示すフローチャートである。
【図６】同実施形態にかかわる携行品管理システムにて特別行事がある場合の携行品リストの作成方法を示すフローチャートである。定がある場合の処理フロー図。
【図７】同実施形態にかかわる携行品管理システムにてスケジュールに変更があった場合の携行品リストの作成方法を示すフローチャートである。
【図８】同実施形態にかかわる携行品管理システムにて携行者が目的地に置いている物品を識別可能とする携行品リストの作成方法を示すフローチャートである。
【符号の説明】
【００７５】
１  学校
２  時間割表
３  携帯者の持ち物リスト
４  携行品リスト
５  特別予定表
６  予定変更表
８  携帯型ＲＦＩＤリーダー
１０  学校側サーバー
１００  家庭
１０１  家庭側ホームサーバー
１０２  無線ＬＡＮ機器
１０３  携帯型ＲＦＩＤリーダー
【図１】
2005078331.tif 000003
【図２】
2005078331.tif 000004
【図３】
2005078331.tif 000005
【図４】
2005078331.tif 000006
【図５】
2005078331.tif 000007
【図６】
2005078331.tif 000008
【図７】
2005078331.tif 000009
【図８】
2005078331.tif 000010